(57)【要約】【課題】メダル受け皿からメダル収容箱にメダルを移し替えやすくする。【解決手段】  スロットマシン１０は、絵柄を描かれた回転可能な複数の回胴リールと、該回胴リールの回転によって絵柄が揃ったとき本体１１から排出されたメダルを受けるメダル受け皿３１とを備え、メダル受け皿３１は、底板３４、両側板３５，３６及びメダルが排出される排出部３８を形成された前板３７と、排出部３８を回転開閉可能に前板３７に設けた開閉板３９と、排出部３８を閉じる方向に開閉板３９を付勢するトーションばね４０と、トーションばね４０に抗して開いた開閉板３９の開状態を保持するラチェット機構４１と、ラチェット機構４１が開閉板３９を開状態に保持している状態を解除する解除軸４２と、を備えている。【選択図】      図２
2005211155.tif 000002
【特許請求の範囲】
【請求項１】
絵柄を描かれた回転可能な複数の回胴体と、該回胴体の回転によって前記絵柄が揃ったとき本体から排出されたメダルを受けるメダル受け皿とを備えた遊技機において、
前記メダル受け皿は、
底板、両側板及び前記メダルが排出される排出部を形成された前板と、
前記排出部を回転開閉可能に前記前板に設けた開閉板と、
前記排出部を閉じる方向に前記開閉板を付勢する付勢手段と、
前記付勢手段に抗して開いた前記開閉板の開状態を保持する保持手段と、
前記保持手段が前記開閉板を開状態に保持している状態を解除する解除手段と、
を備えていることを特徴とする遊技機。
【請求項２】
前記排出部は前記前板の下部に形成され、前記開閉板は上端側を中心にして下端側が回動して前記排出部を開閉することを特徴とする請求項１に記載の遊技機。
【請求項３】
前記排出部は前記前板の下部に形成され、前記底板の上面は手前側に向かって下り勾配の傾斜面に形成され、前記開閉板は上端側を中心にして下端側が回動して前記排出部を開閉することを特徴とする請求項１に記載の遊技機。
【発明の詳細な説明】
【技術分野】
【０００１】
本発明は、スロットマシン等の遊技機に関し、特に、メダルをメダル受け皿からメダル収容箱に移し変えやすくした遊技機に関する。
【背景技術】
【０００２】
一般に、遊技機、例えばスロットマシンは、遊戯者がスタートレバーを操作すると、複数種類の絵柄からなるシンボルマークを外周回転方向に多数描かれた横３列の回動体である回胴リールが各々回転を開始し、その後、遊技者が適宜のタイミングで３個のストップボタンを各々押すと、その押したタイミングに応じて、各ボタンに対応する回胴リールが順次停止して、各回胴リールに備えたシンボルマークの内、所定の絵柄同士が一致している場合に、「当たり」となって、多数枚の遊技メダル（以下、単に「メダル」とも言う）をメダル受け皿に排出するようになっている（例えば、特許文献１参照）。
【０００３】
【特許文献１】特開２００３−２７５３７２号公報（図１乃至図３参照）
【発明の開示】
【発明が解決しようとする課題】
【０００４】
ところで、メダル受け皿は、比較的小さく形成してある。その理由として、スロットマシンが多数台配備された遊技店では、複数台が並ぶ各列を複数列平行に配置するとともに、遊技店内のスペースを有効利用してできるだけ多くのスロットマシンを配備してあること、スロットマシンから払い出される遊技メダルが見かけ上、多いように見せかけて、店のサービスをアピールすること等が挙げられる。
【０００５】
一方、近年のスロットマシンは、遊技中、ビッグボーナスと呼ばれる特別役に１回当たると、例えば、約３５０枚ないし約４００枚の遊技メダルを排出するようになっている。このような、ビッグボーナスに連続して当たった場合、上述したような比較的小さなメダル受け皿では、排出された多数枚の遊技メダルで直ぐに満杯になり、メダルがメダル受け皿から溢れ出て床に散らばるおそれがある。このような場合、遊技者は、遊技メダルがメダル受け皿から溢れ出ない内に、メダルをメダル収容箱（いわゆる、ドル箱）に移し替えていた。メダルの移し替えは、メダル収容箱を一方の手で把持しながら、他方の手でメダル受け皿内のメダルをメダル受け皿の前板を越えてメダル収容箱に掻き出して移し替えるという動作を頻繁に行う必要があり、移し替えに手間がかかるとともに、その遊技を中断しなければならなかった。
【０００６】
また、メダル収容箱は、一般に約１０００枚しか収容することができないため、ビッグボーナスの連続当選時等には、比較的短時間で満杯になりやすかった。このため、遊技者は、メダルを移し替えたメダル収容箱を、遊技店の床面上やスロットマシン上部の箱収容スペース内に置いた後、別のメダル収容箱に再度メダルを移し替える動作を繰り返し行わなければならず、この場合においても、移し替えに手間がかかるとともに、遊技を中断しなければならなかった。
【０００７】
さらに、いわゆるアシストタイム（ＡＴ）に当たった場合には、メダルが連続して排出されるため、遊技者は、メダル収容箱へのメダルの移し替えを頻繁に行わなければならなくなって、上述と同様に、移し替えに手間がかかるとともに、遊技を一旦中断しなければならなかった。特に、閉店間際に上記ＡＴのような役に当たった場合、遊技者にとっては、メダル収容箱にメダルを移し替えに費やす時間さえも惜しくなり、メダル受け皿からメダル収容箱へのメダルの移し替えを急いで、慌てて、床にメダルを落としたり、最悪の場合には、メダル収容箱を把持している手が滑って、メダル収容箱を床に落としたりすることもあった。
【０００８】
本発明は、メダル受け皿からメダル収容箱にメダルを移し替えやすくして、遊技者が遊技に集中できるようにした遊技機を提供することを目的としている。
【課題を解決するための手段】
【０００９】
請求項１に係る発明は、絵柄を描かれた回転可能な複数の回胴体（２１）と、該回胴体（２１）の回転によって前記絵柄が揃ったとき本体（１１）から排出されたメダルを受けるメダル受け皿（３１）とを備えた遊技機において、
前記メダル受け皿（３１）は、
底板（３４）、両側板（３５，３６）及び前記メダルが排出される排出部（３８）を形成された前板（３７）と、
前記排出部（３８）を回転開閉可能に前記前板（３７）に設けた開閉板（３９）と、
前記排出部（３８）を閉じる方向に前記開閉板（３９）を付勢する付勢手段（４０）と、
前記付勢手段（４０）に抗して開いた前記開閉板（３９）の開状態を保持する保持手段（４１）と、
前記保持手段（４１）が前記開閉板（３９）を開状態に保持している状態を解除する解除手段（４２）と、
を備えていることを特徴とする遊技機（１０）である。
【００１０】
請求項２に係る発明は、前記排出部（３８）が前記前板（３７）の下部に形成され、前記開閉板（３９）が上端側を中心にして下端側が回動して前記排出部（３８）を開閉することを特徴とする請求項１に記載の遊技機（１０）である。
【００１１】
請求項３に係る発明は、前記排出部（３８）が前記前板（３７）の下部に形成され、前記底板（３４）の上面が手前側に向かって下り勾配の傾斜面（３４ａ）に形成され、前記開閉板（３９）が上端側を中心にして下端側が回動して前記排出部（３８）を開閉することを特徴とする請求項１に記載の遊技機（１０）である。
【００１２】
なお、括弧内の符号は、便宜的に、図面と対照し易くするために付したものであって、本発明の構成をなんら限定するものではない。
【発明の効果】
【００１３】
請求項１に係る遊技機は、開閉板によって、排出部を開閉することができるようになっているので、メダルを排出部からメダル収容箱に簡単に、かつ短時間に移し変えることができるようになり、遊技の中断時間を短縮して、遊戯性を高めることができる。
【００１４】
請求項２に係る遊技機は、メダル受け皿の排出部は前板の下部に形成してあり、開閉板は上端側を中心にして下端側を回動自在にして排出部を開閉するようになっているので、メダルをメダル受け皿の手前側下部から排出することができて、メダルをメダル収容箱に容易に移し変えることができる。
【００１５】
請求項３に係る遊戯機は、底板の上面を手前側に向かって下り勾配の傾斜面にしてあるので、傾斜面を利用してメダルを排出部から容易に掻き出すことができる。
【発明を実施するための最良の形態】
【００１６】
以下、本発明の遊技機の実施形態として、遊技場に設置してあるスロットマシンを図１乃至図８に基づいて説明する。
【００１７】
図１は、本発明の遊技機の実施形態としてのスロットマシンの外観斜視図である。図２は、メダル受け皿の拡大図である。図３は、ラチェット機構の図である。図４は、図２のＡ−Ａ矢視断面図である。図５は、図４の状態から開閉板を開いた状態の図である。図６は、開閉板を開いてメダル収容箱でメダルを受け止めている状態の図である。図７は、解除軸４２とラチェット爪４７との斜視図である。図８は、底板に傾斜を持たせた場合の図５に相当するメダル受け皿の断面図である。
【００１８】
（スロットマシンの構造の説明）
スロットマシン１０は、図１に示すように、本体１１と、本体１１の一方の側端に開閉自在に取り付けられて遊技者に面する前扉１２とを備えている。
【００１９】
前扉１２は、図１の上下方向における略中央部分に操作パネル１３を有し、操作パネル１３の上方及び下方に、液晶表示パネル１４及びメダル受け皿３１を夫々有している。メダル受け皿３１は、メダル排出口２２に対向する位置に設けてある。
【００２０】
液晶表示パネル１４の上方には、クレジット枚数、ベット（ＢＥＴ）枚数、及びメダルの排出状況等を表示する遊技状態表示部１５を設けてある。操作パネル１３には、上面にベットボタン１７及びメダル投入部１８を配置してあり、前面にスタートレバー１９及び３個のストップボタン３０を配置してある。なお、透過窓１６から液晶表示パネル１４内方に見える横３列の回胴リール２１は、回転、停止して現出する図柄等が透過窓１６を通して遊技者側から明確に視認されるようになっている。また、横３列の回胴リール２１の図柄が描いてある外周回転面が透過窓１６の裏面側に対向するように配置してある。なお、透過窓１６は、回胴リール２１を外部から確実に保護するように、透明な硬質プラスチック板などで形成されている。透過窓１６とメダル受け皿３１との間には、遊技の名称を表示した下部パネル２９を設けてある。
【００２１】
（スロットマシンの動作説明）
スロットマシン１０は、遊技者がメダル投入部１８にメダルを投入してスタートレバー１９を操作すると、横３列の回動体である回胴リール２１が各々回転を開始し、その後、遊技者が適宜のタイミングで３個のストップボタン３０を各々押すと、その押したタイミングに応じて、各ボタン３０に対応する回胴リール２１が順次停止して、各回胴リール２１に備えたシンボルマークの内、所定の絵柄同士が一致している場合に、「当たり」となって、多数枚の遊技メダル（以下、単に「メダル」とも言う）を排出口２２からメダル受け皿３１に排出する。
【００２２】
（メダル受け皿の構造の説明）
メダル受け皿３１は、図２に示すように、底板３４、両側板３５，３６、及びメダルが排出される排出部３８（図５参照）を形成された前板３７と、排出部３８を回転開閉可能に前板３７に設けた開閉板３９とで形成されている。メダル受け皿３１は、排出部３８を閉じる方向に開閉板３９を付勢する付勢手段であるトーションばね４０と、トーションばね４０に抗して開いた開閉板３９の開状態を保持する保持手段であるラチェット機構４１と、ラチェット機構４１が開閉板３９を開状態に保持している状態を解除する解除手段である先端円錐状の解除軸４２とを備えている。
【００２３】
開閉板３９は、前板３７に回転軸４３によって排出部３８を開閉可能に設けてある。回転軸４３には、トーションばね４０を設けてある。また、回転軸４３の外端には、つまみ４４を設けてある。
【００２４】
ラチェット機構４１は、ラチェット歯車４５、固定軸４６に回転自在に設けられてラチェット歯車４５に係合するラチェット爪４７、及びラチェット爪４７をラチェット歯車４５に係合さるる矢印Ｆ方向に回転付勢する付勢ばね４８を備えている。
【００２５】
図３、図７に示すように、解除軸４２の先端の円錐部４２ａは、ラチェット爪４７の側部４７ａに対向している。解除軸４２は、不図示の復帰ばねによってラチャット爪４７から離れる方向に付勢されている。
【００２６】
（メダル受け皿の使用手順の説明）
メダル受け皿３１にメダルが排出されて、ある程度の枚数が溜まると、遊技者は、メダル収容箱Ｄを一方の手で把持しながら、他方の手でつまみ４４を矢印Ｂ方向に回転させる。すると、図５、図６に示すように、開閉板３９が矢印Ｂ方向に回転して排出部３８を開く。開いた排出部３８から、メダルＭがメダル収容箱Ｄに排出される。また、ラチェット歯車４５が矢印Ｂ方向に回転することによって、ラチェット歯４５に対するラチェット爪４５の係合位置が変わる。開いた開閉板３９は、自重とトーションばね４０の復帰回転力とによって矢印Ｃ方向に復帰回転しようとする。しかし、開閉板３９は、ラチェット爪４５によってラチェット歯４５の回転が阻止されて、開いたままに保持される。
【００２７】
残りのメダルＭが遊技者によって手前側に掻き寄せられて排出部３８からメダル収容箱Ｄに排出されメダル受け皿３１が空になると、遊技者は、解除軸４２を右側板３６側に押圧する。すると、解除軸４２の円錐部４２ａが、ラチェット爪４７を付勢ばね４８に抗して矢印Ｇ方向に回転させて、ラチェット歯車４５から外す。
【００２８】
ラチェット歯車４５からラッチャット爪４７の係合が外されると、開いていた開閉板３９は、自重とトーションばね４０の復帰回転力とによって矢印Ｃ方向に復帰回転して、排出部３８を閉じる。
【００２９】
以上のように、本実施形態のスロットマシン１０は、開閉板３７によって、排出部３８を開閉することができるようになっているので、メダルを排出部３８からメダル収容箱Ｄに簡単に、かつ短時間に移し変えることができるようになり、遊技の中断時間を短縮して、遊戯性を高めることができる。
【００３０】
また、本実施形態のスロットルマシン１０における、メダル受け皿３１の排出部３８は前板３７の下部に形成してあり、開閉板３９は上端側を中心にして下端側を回動自在にして排出部３７を開閉するようになっているので、メダルをメダル受け皿３１の手前側下部から排出することができて、メダルをメダル収容箱Ｄに容易に移し変えることができる。
【００３１】
なお、図８に示すように底板３４の上面３４ａを手前側に向かって下り勾配の傾斜面にすると、メダルを排出部３８から容易に掻き出すことができる。
【図面の簡単な説明】
【００３２】
【図１】本発明の遊技機の実施形態としてのスロットマシンの外観斜視図である。
【図２】メダル受け皿の拡大図である。
【図３】ラチェット機構の図である。
【図４】図２のＡ−Ａ矢視断面図である。
【図５】図４の状態から開閉板を開いた状態の図である。
【図６】開閉板を開いてメダル収容箱でメダルを受け止めている状態の図である。
【図７】解除軸とラチェット爪との斜視図である。
【図８】底板に傾斜を持たせた場合の図５に相当するメダル受け皿の断面図である。
【符号の説明】
【００３３】
１０      スロットマシン（遊技機）
１１      本体
２１      回胴リール（回胴体）
２２      排出口
３１      メダル受け皿
３４      底板
３４ａ    傾斜面
３５      左側板
３６      右側板
３７      前板
３８      排出部
３９      開閉板
４０      トーションばね（付勢手段）
４１      ラチェット機構（保持手段）
４２      解除軸（解除手段）
４２ａ    円錐部
４３      回転軸
４４      つまみ
４５      ラチェット歯車
４６      固定軸
４７      ラチェット爪
４８      付勢ばね
【図１】
2005211155.tif 000003
【図２】
2005211155.tif 000004
【図３】
2005211155.tif 000005
【図４】
2005211155.tif 000006
【図５】
2005211155.tif 000007
【図６】
2005211155.tif 000008
【図７】
2005211155.tif 000009
【図８】
2005211155.tif 000010